(57)【要約】【課題】棚の奥に食品を載置した場合であっても吹き出し口からの冷気が流入する冷蔵庫を提供する。【解決手段】冷蔵室１４の棚４０の内部に、冷気の棚ダクト８４が形成され、棚４０の後面に、棚ダクト８４と連通した冷気の棚流入口７６が開口し、棚４０の棚流入口７６が冷蔵室１４の吹き出し口５２の位置に配され、棚４０の底面に、棚ダクト８４と連通した冷気の棚吹き出し口８６が開口し、棚４０の下方に配され、上面が開口した棚容器１００と、棚容器１００に開口し、前記冷気を吹き出す容器吹き出し口１０２とを有する。【選択図】      図３
2020169746.tif 000002
【特許請求の範囲】
【請求項１】
キャビネットと、
前記キャビネット内に設けられた貯蔵室と、
前記貯蔵室の後面に開口し、冷気を吹き出す複数の吹き出し口と、
前記貯蔵室内に水平に配された棚と、
を有し、
前記棚の内部に、前記冷気の棚ダクトが形成され、
前記棚の後面に、前記棚ダクトと連通した前記冷気の棚流入口が開口し、
前記棚の前記棚流入口が前記吹き出し口の位置に配され、
前記棚の底面に、前記棚ダクトと連通した前記冷気の棚吹き出し口が開口し、
前記棚の下方に配され、上面が開口した棚容器と、
前記棚容器に開口し、前記冷気を吹き出す容器吹き出し口と、
を有する冷蔵庫。
【請求項２】
前記棚の下面に容器取り付け部が形成され、
前記容器取り付け部に前記棚容器が取り付けられている、
請求項１に記載の冷蔵庫。
【請求項３】
前記貯蔵室の両側面に容器取り付け部が形成され、
前記容器取り付け部に前記棚容器が取り付けられている、
請求項１に記載の冷蔵庫。
【請求項４】
前記棚容器は、引き出し式の容器であり、
前記棚容器の両側面に前後方向に沿ってレールが突出し、
前記容器取り付け部は、前後方向に延びるレール支持部であり、
前記棚容器の前記レールは前記レール支持部の上に載置され、前記レール支持部に沿って前後方向に移動する、
請求項２又は３に記載の冷蔵庫。
【請求項５】
前記棚の前記棚流入口の周囲と前記吹き出し口の周囲との間にシール部材が配され、
前記シール部材は、前記棚に固定されている、
請求項１に記載の冷蔵庫。
【請求項６】
前記シール部材が、ガスケットである、
請求項５に記載の冷蔵庫。
【請求項７】
前記貯蔵室の両側面に前後方向に延びる棚支持部が左右一対設けられ、
前記棚支持部の前端部に前記棚のストッパが設けられ、
左右一対の棚支持部に前記棚が載置され、
前記ストッパから前記貯蔵室の後面までの距離が、前記棚の前後方向の寸法と前記ガスケットの圧縮前の前後方向の寸法の合計より短い、
請求項６に記載の冷蔵庫。
【請求項８】
前記棚容器の底面に前記容器吹き出し口が開口している、
請求項１に記載の冷蔵庫。
【請求項９】
前記棚容器の前面に前記容器吹き出し口が開口している、
請求項１に記載の冷蔵庫。
【請求項１０】
前記棚の前面にも前記棚吹き出し口が開口している、
請求項１に記載の冷蔵庫。
【発明の詳細な説明】
【技術分野】
【０００１】
本発明の実施形態は、冷蔵庫に関するものである。
【背景技術】
【０００２】
従来、冷蔵庫の冷蔵室の後面には、冷気を吹き出すための吹き出し口が上下方向に複数設けられ、また、この冷蔵室の内部には、食品を載置するための棚が複数段配置されている。
【先行技術文献】
【特許文献】
【０００３】
【特許文献１】特開２０１８−４４７４６号公報
【特許文献２】特開２００１−２８０７９７号公報
【特許文献３】特開２００２−３１８０５５号公報
【特許文献４】実開平２−１１４８９４号公報
【発明の概要】
【発明が解決しようとする課題】
【０００４】
しかし、棚に食品を載置した場合には、この食品によって吹き出し口が塞がれ、冷気が冷蔵室内に流入し難いという問題点があった。
【０００５】
そこで本発明の実施形態は上記問題点に鑑み、棚の奥に食品を載置した場合であっても吹き出し口からの冷気が流入する冷蔵庫を提供することを目的とする。
【課題を解決するための手段】
【０００６】
本発明の一実施形態は、キャビネットと、前記キャビネット内に設けられた貯蔵室と、前記貯蔵室の後面に開口し、冷気を吹き出す複数の吹き出し口と、前記貯蔵室内に水平に配された棚と、を有し、前記棚の内部に、前記冷気の棚ダクトが形成され、前記棚の後面に、前記棚ダクトと連通した前記冷気の棚流入口が開口し、前記棚の前記棚流入口が前記吹き出し口の位置に配され、前記棚の底面に、前記棚ダクトと連通した前記冷気の棚吹き出し口が開口し、前記棚の下方に配され、上面が開口した棚容器と、前記棚容器に開口し、前記冷気を吹き出す容器吹き出し口と、を有する冷蔵庫である。
【図面の簡単な説明】
【０００７】
【図１】本発明の一実施形態を示す冷蔵庫の正面図。
【図２】冷蔵庫の縦断面図。
【図３】冷蔵室の側方から見た拡大縦断面図。
【図４】棚ダクトの縦断面図であって、後方を見た図。
【図５】棚ダクトの後面図であって、前方を見た図。
【図６】ガスケットが圧縮されていない状態の拡大縦断面。
【図７】ガスケットが圧縮されている状態の拡大縦断面。
【図８】棚ダクトの縦断面図であって、側方から見た図。
【図９】冷蔵庫のブロック図。
【図１０】変更例３の冷蔵室の正面から見た拡大縦断面図。
【図１１】変更例４の冷蔵室の側方から見た拡大縦断面図。
【発明を実施するための形態】
【０００８】
以下、本発明の一実施形態の冷蔵庫１０について図１〜図９を参照して説明する。
【０００９】
（１）冷蔵庫１０
冷蔵庫１０について図１〜図２を参照して説明する。冷蔵庫１０のキャビネット１２は断熱箱体である。図２に示すように、このキャビネット１２内は、上から順番に冷蔵室１４、野菜室１６、小型冷凍室１８及び冷凍室２０を有し、小型冷凍室１８の横には製氷室２１が設けられている。野菜室１６と小型冷凍室１８及び製氷室２１の間には水平な断熱仕切体３６が設けられている。冷蔵室１４と野菜室１６とは水平な仕切体３８によって仕切られている。
【００１０】
図２に示すように、冷蔵室１４内には、２枚の棚４０と１枚の棚４１が水平に設けられ、下部にはチルド室４２が設けられている。チルド室４２の内部には、チルド容器７０が引き出し自在に収納されている。冷蔵室１４については、後から詳しく説明する。
【００１１】
図１と図２に示すように、冷蔵室１４の前面開口部には、観音開き式の左右扉１４ａ、１４ｂが設けられている。両扉１４ａ、１４ｂの後面には、複数段のドアポケット４４が設けられている。左扉１４ａの前面には、操作部５６が設けられている。
【００１２】
図１に示すように、左扉１４ａの下部には静電式のドアスイッチ６２が設けられ、このドアスイッチ６２が操作されると、キャビネット１２の天井部前端部の中央部にあるソレノイド式のドア押圧部６４が左扉１４ａを後方から押して左扉１４ａが開扉状態となる。右扉１４ｂの下部にも静電式のドアスイッチ６２が設けられ、このドアスイッチ６２が操作されると、ドア押圧部６４が右扉１４ｂの後面を押圧して右扉１４ｂが開扉状態となる。
【００１３】
図１に示すように、製氷室２１内には、製氷皿で製氷を行う製氷装置６６が設けられ、冷蔵室１４内部であって、チルド室４２の横に配された不図示のタンクから製氷用の水が供給される。
【００１４】
図１と図２に示すように、野菜室１６には引出し式の野菜室扉１６ａが設けられ、小型冷凍室１８、冷凍室２０及び製氷室２１には、それぞれ引出し式の扉１８ａ、２０ａ、２１ａが設けられている。野菜室１６には、引出し式の野菜容器４６が設けられている。
【００１５】
図２に示すように、冷蔵室１４の後面下部から野菜室１６の後面において、冷蔵用蒸発器（以下、「Ｒエバ」という）２８が設けられ、その上方には冷蔵用送風機（以下、「Ｒファン」という）３０が設けられている。Ｒエバ２８とＲファン３０とは、エバカバー４８で囲まれた冷却室であるＲエバ空間２７に配されている。
【００１６】
図２に示すように、Ｒエバ空間２７の上部には、ダンパ７２が設けられ、このダンパ７２から上方にダクト５０が冷蔵室１４の背面に沿って延び、このダクト５０には複数の吹き出し口５２が設けられ、この吹き出し口５２から冷蔵室１４に冷気が吹き出される。また、チルド室４２の背面にも吹き出し口５４が設けられ、ダンパ７２から流出した冷気がチルド室４２内部に吹き出される。さらに、冷蔵室１４の背面には、冷蔵室１４の庫内温度を検出するＲセンサ２９が設けられている。
【００１７】
図２に示すように、小型冷凍室１８、製氷室２１の後面から冷凍室２０の後面にかけてのＦエバ空間３１には、冷凍用蒸発器（以下、「Ｆエバ」という）３２が設けられ、その上方には冷凍用送風機（以下、「Ｆファン」という）３４が設けられている。Ｆエバ３２の下方には、不図示の除霜ヒータが設けられている。冷凍室２０の背面には、冷凍室２０の庫内温度を検出するＦセンサ３５が設けられている。
【００１８】
図２に示すように、キャビネット１２の後面底部には、機械室２２が設けられ、冷凍サイクルを構成する圧縮機２４などが載置されている。この機械室２２の後面上部には、制御基板２６が設けられている。
【００１９】
（２）冷蔵室１４
次に、冷蔵室１４について図２〜図８を参照して説明する。
【００２０】
図３に示すように、冷蔵室１４の内部の後面には背面板５８が配され、その裏側には上記した冷気のダクト５０が設けられている。図２に示すように、冷蔵室１４の下部に設けられたチルド室４２は、前後方向に配された天板７４と、天板７４の前端部に設けられた蓋７８とを有し、その内部にチルド容器７０が前後方向に引き出し自在に配されている。ダクト５０からチルド室４２内部に冷気を吹き出す吹き出し口５４は、このチルド容器７０の上方に位置している。
【００２１】
図４に示すように、背面板５８に設けられた吹き出し口５２は、左右方向に伸びた長方形を成し、縦方向に複数設けられている。また、この吹き出し口５２は、上部まで冷気が均一に吹き出されるようにするために、下から上にいくほど吹き出し口５２の左右方向の幅が大きくなり、開口面積が大きくなっている。
【００２２】
図４に示すように、冷蔵室１４の両側面には、それぞれ左右一対の棚支持部８０が縦方向に複数組設けられている。この左右一対の棚支持部８０，８０に、棚４０が載置される。棚４０の構造について説明する。なお、本実施形態では、一例として棚４０は、２個存在し、棚４１は１枚存在している。
【００２３】
まず、棚４１について説明する。図２と図３に示すように、最下段に設けられている棚４１は板状であって、冷蔵室１４の下方に位置する左右一対の棚支持部８０，８０に載置されている。図３に示すように、棚支持部８０の前端部から上方にストッパ８２が突出している。この棚４１の前後方向の寸法は、棚支持部８０におけるストッパ８２から背面板５８の寸法と一致した大きさとなっている。そのため、棚４１を載置した場合に、前後方向にずれない。
【００２４】
次に、棚４０について説明する。棚４０は、やや厚みがある板状であって、その内部に棚ダクト８４が前後方向に設けられている。図３に示すように、この棚ダクト８４の後端部、すなわち、図５に示すように、棚４０の後面が開口し、冷気の棚流入口７６が設けられている。この長方形の棚流入口７６は、図３に示すように、冷蔵室１４に設けられた長方形の吹き出し口５２に対応するものであるが、この吹き出し口５２は上方にいくほど左右の幅が大きくなっているため、最も大きい吹き出し口５２に対応した大きさとなっている。
【００２５】
図３、図４に示すように、棚４０の底面、すなわち棚ダクト８４の下面には、棚吹き出し口８６が複数開口している。この棚吹き出し口８６は、左右方向に伸びた長方形であり後から前に向かうほど左右方向の幅が大きくなり、開口面積が大きくなっている。
【００２６】
図４〜図５に示すように、棚４０の底面には左右一対の容器取り付け部８８が設けられている。この容器取り付け部８８は、棚４０の底面から下方に突出した垂設部９０と、この垂設部９０の外方に突出した突出部９２を有する。この突出部９２と、棚４０の底面との間に溝９４が形成され、棚支持部８０を移動自在に挟持する。また、垂設部９０の下端部から内方に向かってレール支持部９６が突出している。
【００２７】
図３〜図５に示すように、左右一対のレール支持部９６，９６の間には、棚容器１００が吊り下げられている。この棚容器１００の上端部にはフランジ状に突出したレール９８が設けられ、レール支持部９６の上に載置され、前後方向に引き出し自在となっている。この棚容器１００は、直方体を成し、上面が開口している。また、棚容器１００の底面の前部には容器吹き出し口１０２が左右方向に開口している。
【００２８】
図５に示すように、棚４０の後面であって、棚流入口７６の外周部には額縁状にシール部材であるガスケット１０４が固定されている。図６に示すように、このガスケット１０４は、通常の状態では前後方向に膨らんでいるが、図７に示すように、前後方向に力が掛かると圧縮され前後方向の寸法が小さくなる。また、このガスケット１０４の内部にはマグネット１０６が内蔵されている。一方、背面板５８の吹き出し口５２の周囲には、金属板１０８が取り付けられ、ガスケット１０４のマグネット１０６と吸着する。
【００２９】
図８に示すように、棚４０の前後方向の寸法と前後方向に膨らんだ状態のガスケット１０４の合計した寸法が、棚支持部８０のストッパ８２から背面板５８までの距離よりも大きくなっている。これにより、棚４０を棚支持部８０に載置したときに、ガスケット１０４に前後方向に圧縮力が働き、棚４０の棚流入口７６と吹き出し口５２との周囲がガスケット１０４でシールされる。
【００３０】
（３）冷蔵庫１０の電気的構成
次に、冷蔵庫１０の電気的構成について図９のブロック図を参照して説明する。制御基板２６における制御部６０には、圧縮機２４、Ｒファン３０、Ｒセンサ２９、Ｆファン３４、Ｆセンサ３５、冷蔵庫１０の操作部５６、左右一対のドアスイッチ６２、ドア押圧部６４、製氷装置６６、ダンパ７２が接続されている。
【００３１】
制御部６０の制御によって、冷蔵室１４、野菜室１６を冷蔵モードで冷却でき、また、小型冷凍室１８、冷凍室２０、製氷室２１を冷凍モードで冷却できる。
【００３２】
（４）棚４０の役割
棚４０を、図３に示すように、吹き出し口５２の位置にある左右一対の棚支持部８０，８０に載置した場合について説明する。
【００３３】
図２、図３に示すように、Ｒファン３０によって吹き上げられた冷気はダンパ７２、ダクト５０を通って吹き出し口５２から吹き出される。吹き出された冷気は、棚４０の棚流入口７６から棚ダクト８４の内部に侵入する。この場合に図７に示すように、吹き出し口５２と棚流入口７６の周囲はガスケット１０４によってシールされているため、冷気が外部に漏れない。
【００３４】
棚ダクト８４に流入した冷気は、図３に示すように、棚ダクト８４の後から前に流れ、底面にある棚吹き出し口８６から吹き出される。この場合に棚吹き出し口８６は前方にいくほど左右方向に広がって開口面積が大きくなっているため、後部において吹き出される冷気と前部において吹き出される冷気の量とがほぼ等しくなる。
【００３５】
複数の棚吹き出し口８６から吹き出された冷気は、図３に示すように、棚容器１００内部に侵入する。そして棚容器１００内部に収納されている食品を冷却し、棚容器１００の底面前部にある容器吹き出し口１０２から吹き出される。容器吹き出し口１０２から吹き出された冷気は、図２に示すように、冷蔵室１４内部を冷却する。
【００３６】
また、冷蔵室１４の扉１４ａ，１４ｂを開けて、棚容器１００内部の食品を取り出す場合には、ユーザが棚容器１００の底面にある容器吹き出し口１０２に手を掛け、棚容器１００をレール支持部９６，９６に沿って引き出し、その内部の食品を取り出す。取り出した後は再び棚容器１００を棚４０の下方に配する。
【００３７】
さらに、棚４０の位置を変えたり、棚４１と位置交換をしたりした場合であって、棚４０が吹き出し口５２の位置に来たときには、上記と同様に棚内部の棚ダクト８４、棚容器１００内部を通って冷気が冷蔵室１４に吹き出される。
【００３８】
（５）効果
上記実施形態によれば、棚４０を吹き出し口５２の位置に取り付けても、吹き出し口５２から吹き出された冷気は棚ダクト８４、棚容器１００内部を通って容器吹き出し口１０２から冷蔵室１４内部に吹き出される。そのため、棚４０に食品を置いても、その食品が冷気の吹き出しに妨げとならない。
【００３９】
また、吹き出し口５２から吹き出された冷気が棚ダクト８４内部に流入するときに、ガスケット１０４のシールにより外部に漏れたりしない。特に、ガスケット１０４のマグネット１０６が金属板１０８と吸着しているため、隙間が形成されない。また、ストッパ８２から背面板５８までの距離が、棚４０の前後方向の寸法と圧縮していない状態のガスケット１０４の前後方向の寸法よりも小さいため、棚４０を棚支持部８０に取り付けた場合にガスケット１０４が必ず圧縮され、シール性を高めることができる。
【００４０】
また、背面板５８に設けられている吹き出し口５２の開口面積が上に行くほど大きくなっているため、下部で吹き出される冷気と上部で吹き出される冷気が同じ量で吹き出される。
【００４１】
また、棚ダクト８４の底面に開口している棚吹き出し口８６は、前方にいくほど開口面積が大きくなっているため、後部で吹き出される冷気と前部で吹き出される冷気とが同じ量となり、棚容器１００に収納されている食品を前後方向に均一に冷却できる。
【００４２】
また、棚４０の後面にある棚流入口７６は、吹き出し口５２の最も大きい寸法に合わせて形成されているため、上下方向にあるどの吹き出し口５２の前方に設けても吹き出し口５２から吹き出された冷気が全て棚ダクト８４に流入する。
【００４３】
また、棚４０に棚容器１００が吊り下げられた状態となっているため、棚４０の位置を代えるだけで棚容器１００の位置も代えることができる。
【変更例】
【００４４】
変更例について説明する。
【００４５】
（１）変更例１
上記実施形態では、棚４０は全て合成樹脂で形成しているが、これに代えて棚ダクト８４の上面板は合成樹脂、又は透明なガラスで形成し、棚ダクト８４の底面に関しては金属部材、又は蓄冷剤を内蔵した金属部材で形成してもよい。
【００４６】
本変更例であると、冷気で棚４０の底板を冷やし、棚４０の下の食品をより冷却できる。
【００４７】
（２）変更例２
上記実施形態では、棚流入口７６と吹き出し口５２のシール部材はガスケット１０４であったが、これに代えて蛇腹状の部材であってもよい。
【００４８】
また、ガスケット１０４内部にマグネット１０６を設けることなく、ガスケット１０４による弾性だけでシールしてもよい。
【００４９】
（３）変更例３
上記実施形態では、棚４０に左右一対の容器取り付け部８８を設け、棚容器１００を吊り下げたが、これに代えて図１０に示すように、冷蔵室１４の両側面であって、棚支持部８０の下方に容器支持部１１０，１１０を左右一対突出させ、この位置に棚容器１００のレール９８を配置してもよい。
【００５０】
（４）変更例４
本変更例では、図１１に示すように、棚４０の前面にも棚吹き出し口８６を開口し、また、棚容器１００の前面にも容器吹き出し口１０２を開口する。これにより冷気がより前方に吹き出すことができ、また、前面に設けた容器吹き出し口１０２によって棚容器１００を前方に引き出し易くなる。
【００５１】
（５）その他
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５２】
１・・・冷蔵庫、１２・・・キャビネット、１４・・・冷蔵室、５０・・・ダクト、５２・・・吹き出し口、５８・・・背面板、８０・・・棚支持部、８２・・・ストッパ、７６・・・棚流入口、８４・・・棚ダクト、８６・・・棚吹き出し口、８８・・・容器取り付け部、９６・・・レール支持部、９８・・・レール、１０２・・・容器吹き出し口、１０４・・・ガスケット
【図１】
2020169746.tif 000003
【図２】
2020169746.tif 000004
【図３】
2020169746.tif 000005
【図４】
2020169746.tif 000006
【図５】
2020169746.tif 000007
【図６】
2020169746.tif 000008
【図７】
2020169746.tif 000009
【図８】
2020169746.tif 000010
【図９】
2020169746.tif 000011
【図１０】
2020169746.tif 000012
【図１１】
2020169746.tif 000013